(57)【要約】      （修正有）【課題】方形状の底面部の各辺から連設され、組立て状態では底面部から立設する各側面において、蓋部が連設された側とは反対側の正面が二重壁であり、正面部に隣接する両側の側面が１つの壁のみで構成された紙製容器において、包装紙で包むのに適するとともに、該二重壁の正面部の解体が容易な紙製容器を提供する。【解決手段】底面部１０には、正面側に膨出し左右対称の略帯状の開口部１２と、折れ線１５と開口部１２の内側の辺部とより囲まれた係止片１６が設けられ、水平板部４８には、内側部４６側とは反対側の先端領域に、紙製容器５の組立て状態において係止片１６の下方に位置する切欠部４９が設けられ、紙製容器５の組立てに際しては、底面側から係止片１６を押し込むことにより係止片１６が水平板部４８と係止し、解体に際しては、底面側から水平板部４８を押し込むことにより係止片１６の係止が解除される。【選択図】図３
0003164781.tif 000002
【実用新案登録請求の範囲】
【請求項１】
１枚のシート状のブランクにより形成された紙製容器であって、
略方形状の底面部で、正面側に膨出し左右対称の略帯状の開口部と、開口部における左右方向の両側の端部領域間に設けられ左右方向に形成された折れ線と開口部の内側の辺部とより囲まれた係止片で、紙製容器の組立て状態において水平板部と係止する係止片とを有する底面部と、
底面部の右側面側の辺部から折れ線を介して連設された略方形状の右側面部と、
底面部の左側面側の辺部から折れ線を介して連設された略方形状の左側面部と、
右側面部の正面側の辺部から折れ線を介して連設され、紙製容器の組立て状態において、正面部の外側部と内側部に挟まれて設けられる第１横フラップ部と、
左側面部の正面側の辺部から折れ線を介して連設され、紙製容器の組立て状態において、正面部の外側部と内側部に挟まれて設けられる第２横フラップ部と、
底面部の正面側の辺部から折れ線を介して連設された正面部で、
底面部から折れ線を介して連設された外側部と、
外側部の底面部とは反対側の辺部から折れ線を介して連設された帯状の上面部と、
上面部の外側部とは反対側の辺部から折れ線を介して連設され紙製容器の組立て状態において外側部の内側に外側部と略平行に設けられる内側部と、
内側部の上面部とは反対側の辺部から折れ線を介して連設され、紙製容器の組立て状態において係止片と係止する領域を除き底面部の上面に接する水平板部で、内側部側とは反対側の先端領域に切欠部を有し、係止片が水平板部に係止した状態において、該切欠部の少なくとも一部の領域が係止片の下方に位置する水平板部と、を有する正面部と、
底面部の背面側の辺部から折れ線を介して連設された背面部と、
背面部の底面部とは反対側の辺部から折れ線を介して連設された蓋部と、
蓋部の背面部とは反対側の辺部から折れ線を介して連設された先端板部と、
を有することを特徴とする紙製容器。
【請求項２】
１枚のシート状のブランクにより形成された紙製容器であって、
略方形状の底面部で、正面側に膨出し左右対称の略帯状の開口部と、開口部における左右方向の両側の端部領域間に設けられ左右方向に形成された折れ線と開口部の内側の辺部とより囲まれた係止片で、紙製容器の組立て状態において水平板部と係止する係止片とを有する底面部と、
底面部の右側面側の辺部から折れ線を介して連設された略方形状の右側面部と、
底面部の左側面側の辺部から折れ線を介して連設された略方形状の左側面部と、
右側面部の正面側の辺部から折れ線を介して連設され、紙製容器の組立て状態において、正面部の外側部と内側部に挟まれて設けられる第１横フラップ部と、
左側面部の正面側の辺部から折れ線を介して連設され、紙製容器の組立て状態において、正面部の外側部と内側部に挟まれて設けられる第２横フラップ部と、
底面部の正面側の辺部から折れ線を介して連設された正面部で、
底面部から折れ線を介して連設された外側部と、
外側部の底面部とは反対側の辺部から折れ線を介して連設され紙製容器の組立て状態において外側部の内側に外側部と略平行に設けられる内側部と、
内側部の外側部とは反対側の辺部から折れ線を介して連設され、紙製容器の組立て状態において係止片と係止する領域を除き底面部の上面に接する水平板部で、内側部側とは反対側の先端領域に切欠部を有し、係止片が水平板部に係止した状態において、該切欠部の少なくとも一部の領域が係止片の下方に位置する水平板部と、を有する正面部と、
底面部の背面側の辺部から折れ線を介して連設された背面部と、
背面部の底面部とは反対側の辺部から折れ線を介して連設された蓋部と、
蓋部の背面部とは反対側の辺部から折れ線を介して連設された先端板部と、
を有することを特徴とする紙製容器。
【請求項３】
底面部の開口部が略円弧形状であることを特徴とする請求項１又は２に記載の紙製容器。
【請求項４】
底面部の開口部が、同心円をなし径の異なる円弧形状の辺部を有する開口部を形成し、さらに、該開口部の内径側の辺部の略中央部分を左右方向の直線状の辺部により切り欠いた形状であることを特徴とする請求項１又は２又は３に記載の紙製容器。
【請求項５】
水平板部の切欠部が、水平板部の先端側の辺部に帯状の第１切欠部を形成し、さらに、帯状の切欠部の略中央をさらに円弧状の切り欠いて第１切欠部の奥側に第２切欠部を形成した形状であることを特徴とする請求項１又は２又は３又は４に記載の紙製容器。
【請求項６】
水平板部の第２切欠部の大きさが、係止片の大きさよりも小さく形成されていることを特徴とする請求項５に記載の紙製容器。
【請求項７】
右側面部の底面部とは反対側の辺部から折れ線を介して第１上フラップ部が連設され、左側面部の底面部とは反対側の辺部から折れ線を介して第２上フラップ部が連設されていることを特徴とする請求項１又は２又は３又は４又は５又は６に記載の紙製容器。
【請求項８】
右側面部の背面側の辺部から折れ線を介して連設された第３横フラップ部と、左側面部の背面側の辺部から折れ線を介して連設された第４横フラップ部とを有することを特徴とする請求項１又は２又は３又は４又は５又は６又は７に記載の紙製容器。
【請求項９】
１枚のシート状のブランクにより形成された紙製容器であって、
略方形状の底面部で、正面側に膨出し左右対称の略帯状の略円弧形状で同心円をなし径の異なる円弧形状の辺部を有する開口部を形成し、さらに、該開口部の内径側の辺部の略中央部分を左右方向の直線状の辺部により切り欠いた形状である開口部と、開口部における左右方向の両側の端部領域間に設けられ左右方向に形成された折れ線と開口部の内側の辺部とより囲まれた係止片で、紙製容器の組立て状態において水平板部と係止する係止片とを有する底面部と、
底面部の右側面側の辺部から折れ線を介して連設された略方形状の右側面部と、
底面部の左側面側の辺部から折れ線を介して連設された略方形状の左側面部と、
右側面部の正面側の辺部から折れ線を介して連設され、紙製容器の組立て状態において、正面部の外側部と内側部に挟まれて設けられる第１横フラップ部と、
左側面部の正面側の辺部から折れ線を介して連設され、紙製容器の組立て状態において、正面部の外側部と内側部に挟まれて設けられる第２横フラップ部と、
右側面部の背面側の辺部から折れ線を介して連設された第３横フラップ部と、
左側面部の背面側の辺部から折れ線を介して連設された第４横フラップ部と、
右側面部の底面部とは反対側の辺部から折れ線を介して連設された第１上フラップ部と、
左側面部の底面部とは反対側の辺部から折れ線を介して連設された第２上フラップ部と、
底面部の正面側の辺部から折れ線を介して連設された正面部で、
底面部から折れ線を介して連設された外側部と、
外側部の底面部とは反対側の辺部から折れ線を介して連設された帯状の上面部と、
上面部の外側部とは反対側の辺部から折れ線を介して連設され紙製容器の組立て状態において外側部の内側に外側部と略平行に設けられる内側部と、
内側部の上面部とは反対側の辺部から折れ線を介して連設され、紙製容器の組立て状態において係止片と係止する領域を除き底面部の上面に接する水平板部で、内側部側とは反対側の先端領域に、水平板部の先端側の辺部に帯状の第１切欠部を形成し、さらに、帯状の切欠部の略中央をさらに円弧状の切り欠いて第２切欠部を形成した形状の切欠部を有し、係止片が水平板部に係止した状態において第２切欠部が係止片の下方に位置し、第２切欠部の大きさが係止片の大きさよりも小さい水平板部と、を有する正面部と、
底面部の背面側の辺部から折れ線を介して連設された背面部と、
背面部の底面部とは反対側の辺部から折れ線を介して連設された蓋部と、
蓋部の背面部とは反対側の辺部から折れ線を介して連設された先端板部と、
を有することを特徴とする紙製容器。
【考案の詳細な説明】
【技術分野】
【０００１】
本考案は、紙製容器に関するものであり、特に、二重壁の側面を持つ紙製容器に関するものである。
【背景技術】
【０００２】
カタログギフト等を入れるための薄厚箱としては、トレー形状のものが使用される場合がある。
【０００３】
薄厚箱にカタログギフト等を入れる場合には、包装紙で包装することがあるが、トレー形状のもの側面が底面に対して直角となっておらず傾斜しているので、包みにくいという問題がある。
【０００４】
また、薄厚箱としては、Ｎ式容器が使用される場合がある。Ｎ式の容器は、１枚のシート状のブランクにより接着剤を使用しなくても容器状に組み立てることができ、方形状の底面部の各辺から正面部と一対の側面部と背面部とが連設され、背面部から連設された蓋部が一枚の天面から形成されるものである。
【０００５】
Ｎ式の容器の例を示すと、図１０に示すように、背面部１５０が、底面部１１０から連設された外側背面板部１５８と、側面部１２０、１３０から連設された一対の背面板部１５４、１５６を連設することにより形成される内側背面部を有し、さらに、正面部１４０が外側部１４２と上面部１４４と内側部１４６とを有するものが存在する。
【０００６】
すなわち、図１０に示す紙製容器１０５は、底面部１１０と、側面部１２０、１３０と、フラップ部１２２、１３２と、被挟設部１２４、１３４と、正面部１４０と、背面部１５０と、蓋部１６０と、先端板部１６２とを有し、正面部１４０は、外側部１４２と上面部１４４と内側部１４６とを有し、背面部１５０は、背面板部１５４と背面板部１５６とからなる内側背面部と、外側背面部１５８とを有している。
【０００７】
紙製容器１０５の組立て状態においては、側面部１２０、１３０と正面部１４０と背面部１５０とが底面部１１０に対して立設し、正面部１４０においては、外側部１４２と内側部１４６とが被挟設部１３４を挟んだ状態で立設し、内側部１４６に設けられた突状部１４６ａは底面部１１０と外側部１４２との境界位置に形成された略コ字状の切込み１１０ａにより形成される穴部に係止され、内側部１４６は外側部１４２の内側に立設する。また、背面部１５０においては、背面板部１５４と背面板部１５６は、背面板部１５４の切欠部１５４ａと背面板部１５６の切欠部１５６ａとを互いに係止することにより連結して内側背面部１５２が形成され、外側背面部１５８の内側に立設する。また、蓋部１６０を閉状態にするには、先端板部１６２を正面部１４０の内側に差し込む。
【０００８】
特に、図１０に示す紙製容器においては、正面側（蓋部１６０が連設された側とは反対側）の側面が外側部１４２と内側部１４６の２つの板状部材により二重壁になっていて、両側の側面が１つの壁のみで構成され二重壁ではない（つまり、１枚の板状部材により構成されている）。また、正面部１４０と外側背面部１５８は、側面部１２０、１３０とともに紙製容器１０５の側面として機能している。
【０００９】
なお、出願人は、トレー形状の包装容器として、特許文献１の文献を知得しており、Ｎ式容器として、特許文献２の文献を知得している。
【先行技術文献】
【特許文献】
【００１０】
【特許文献１】実公平７−１２２４５号公報
【特許文献２】特開２００８−１３８７号公報
【考案の概要】
【考案が解決しようとする課題】
【００１１】
しかし、図１０に示すようなＮ式容器においては、トレー形状とは異なり、正面と両側の側面と背面とが底面部１１０に対して直角となっているが、突状部１４６ａが略コ字状の切込み１１０ａにより形成される穴部に係止されて、底面部１１０の外側の面から突出するので、包装紙で包むのが困難であり、また、包装紙で包んでも外部に突出した突状部１４６ａにより包装紙が破れてしまうおそれがある。
【００１２】
また、組立て状態の紙製容器１０５を廃棄する場合等に扁平な形状に解体するには、突状部１４６ａの略コ字状の切込み１１０ａにより形成された穴部への係止を解除する必要があるが、突状部１４６ａの該穴部へ嵌合してしまっている場合に、係止を解除するのが困難な場合があり、扁平な形状に解体するのが困難となる。
【００１３】
そこで、本考案が解決しようとする問題点は、方形状の底面部の各辺から連設され、組立て状態では底面部から立設する各側面において、蓋部が連設された側とは反対側の正面が二重壁であり、正面部に隣接する両側の側面が１つの壁のみで構成された紙製容器において、包装紙で包むのに適するとともに、該二重壁の正面部の解体が容易な紙製容器を提供することである。
【課題を解決するための手段】
【００１４】
本考案は上記問題点を解決するために創作されたものであって、第１には、１枚のシート状のブランクにより形成された紙製容器であって、略方形状の底面部で、正面側に膨出し左右対称の略帯状の開口部と、開口部における左右方向の両側の端部領域間に設けられ左右方向に形成された折れ線と開口部の内側の辺部とより囲まれた係止片で、紙製容器の組立て状態において水平板部と係止する係止片とを有する底面部と、底面部の右側面側の辺部から折れ線を介して連設された略方形状の右側面部と、底面部の左側面側の辺部から折れ線を介して連設された略方形状の左側面部と、右側面部の正面側の辺部から折れ線を介して連設され、紙製容器の組立て状態において、正面部の外側部と内側部に挟まれて設けられる第１横フラップ部と、左側面部の正面側の辺部から折れ線を介して連設され、紙製容器の組立て状態において、正面部の外側部と内側部に挟まれて設けられる第２横フラップ部と、底面部の正面側の辺部から折れ線を介して連設された正面部で、底面部から折れ線を介して連設された外側部と、外側部の底面部とは反対側の辺部から折れ線を介して連設された帯状の上面部と、上面部の外側部とは反対側の辺部から折れ線を介して連設され紙製容器の組立て状態において外側部の内側に外側部と略平行に設けられる内側部と、内側部の上面部とは反対側の辺部から折れ線を介して連設され、紙製容器の組立て状態において係止片と係止する領域を除き底面部の上面に接する水平板部で、内側部側とは反対側の先端領域に切欠部を有し、係止片が水平板部に係止した状態において、該切欠部の少なくとも一部の領域が係止片の下方に位置する水平板部と、を有する正面部と、底面部の背面側の辺部から折れ線を介して連設された背面部と、背面部の底面部とは反対側の辺部から折れ線を介して連設された蓋部と、蓋部の背面部とは反対側の辺部から折れ線を介して連設された先端板部と、を有することを特徴とする。
【００１５】
第１の構成の紙製容器においては、展開状態の紙製容器を箱状に組み立てるには、右側面部と左側面部を底面部に対して折り曲げて立設させ、第１横フラップ部と第２横フラップ部を右側面部と左側面部に対して内側に折り曲げる。その後、外側部を底面部に対して折り曲げて立設させ、上面部を外側部に対して折り曲げ、さらに、内側部を上面部に対して折り曲げて外側部と内側部により第１横フラップ部と第２横フラップ部を挟んで挟設した状態とする。その後、水平板部を内側部に対して略直角に折り曲げて、底面部の上面と略平行に接するようにする。正面部、特に、外側部と内側部が底面部に対して立設した状態で、底面部における係止片を底面部の底面側から指で押し込むことにより、係止片は、水平板部の上面に乗り上げた状態で係止する。なお、係止片を指で押し込む際に、水平板部に切欠部が形成されているので、係止片と水平板部との間で指を挟んでしまうことがない。次に、被収納物を収納した後に、背面部を底面部に対して立設させるとともに、蓋部を背面部に対して折り曲げ、その後、先端板部を正面部の内側部の内側に差し込んで閉状態とする。
【００１６】
また、紙製容器を廃棄等のために解体する場合には、紙製容器の底面側（つまり、底面部の底面側）から水平板部を押し込む。その際、水平板部の切欠部に指を係止して押し込むことにより、係止片の水平板部との係止状態が解除される。よって、正面部を平板状にして紙製容器を解体することができる。
【００１７】
よって、被収納物を収納した紙製容器を包装紙により包む場合に、底面部から外面に突出した部分がないので、包装紙により容易に包むことができ、また、包装紙で包んでも包装紙が破れてしまうおそれがなく、包装紙で包むのに適しており、また、紙製容器の底面側から水平板部を押し込むのみで解体できるので、解体を容易とすることができる。特に、解体に際して、水平板部の切欠部に指を係止して押し込めばよいので、操作がしやすく、この切欠部が解体に際しての目印にもなる。
【００１８】
また、第２には、１枚のシート状のブランクにより形成された紙製容器であって、略方形状の底面部で、正面側に膨出し左右対称の略帯状の開口部と、開口部における左右方向の両側の端部領域間に設けられ左右方向に形成された折れ線と開口部の内側の辺部とより囲まれた係止片で、紙製容器の組立て状態において水平板部と係止する係止片とを有する底面部と、底面部の右側面側の辺部から折れ線を介して連設された略方形状の右側面部と、底面部の左側面側の辺部から折れ線を介して連設された略方形状の左側面部と、右側面部の正面側の辺部から折れ線を介して連設され、紙製容器の組立て状態において、正面部の外側部と内側部に挟まれて設けられる第１横フラップ部と、左側面部の正面側の辺部から折れ線を介して連設され、紙製容器の組立て状態において、正面部の外側部と内側部に挟まれて設けられる第２横フラップ部と、底面部の正面側の辺部から折れ線を介して連設された正面部で、底面部から折れ線を介して連設された外側部と、外側部の底面部とは反対側の辺部から折れ線を介して連設され紙製容器の組立て状態において外側部の内側に外側部と略平行に設けられる内側部と、内側部の外側部とは反対側の辺部から折れ線を介して連設され、紙製容器の組立て状態において係止片と係止する領域を除き底面部の上面に接する水平板部で、内側部側とは反対側の先端領域に切欠部を有し、係止片が水平板部に係止した状態において、該切欠部の少なくとも一部の領域が係止片の下方に位置する水平板部と、を有する正面部と、底面部の背面側の辺部から折れ線を介して連設された背面部と、背面部の底面部とは反対側の辺部から折れ線を介して連設された蓋部と、蓋部の背面部とは反対側の辺部から折れ線を介して連設された先端板部と、を有することを特徴とする。
【００１９】
第２の構成の紙製容器においては、展開状態の紙製容器を箱状に組み立てるには、右側面部と左側面部を底面部に対して折り曲げて立設させ、第１横フラップ部と第２横フラップ部を右側面部と左側面部に対して内側に折り曲げる。その後、外側部を底面部に対して折り曲げて立設させ、内側部を外側部に対して折り曲げて、外側部と内側部により第１横フラップ部と第２横フラップ部を挟んで挟設した状態とする。その後、水平板部を内側部に対して略直角に折り曲げて、底面部の上面と略平行に接するようにする。正面部、特に、外側部と内側部が底面部に対して立設した状態で、底面部における係止片を底面部の底面側から指で押し込むことにより、係止片は、水平板部の上面に乗り上げた状態で係止する。なお、係止片を指で押し込む際に、水平板部に切欠部が形成されているので、係止片と水平板部との間で指を挟んでしまうことがない。次に、被収納物を収納した後に、背面部を底面部に対して立設させるとともに、蓋部を背面部に対して折り曲げ、その後、先端板部を正面部の内側部の内側に差し込んで閉状態とする。
【００２０】
また、紙製容器を廃棄等のために解体する場合には、紙製容器の底面側（つまり、底面部の底面側）から水平板部を押し込む。その際、水平板部の切欠部に指を係止して押し込むことにより、係止片の水平板部との係止状態が解除される。よって、正面部を平板状にして紙製容器を解体することができる。
【００２１】
よって、被収納物を収納した紙製容器を包装紙により包む場合に、底面部から外面に突出した部分がないので、包装紙により容易に包むことができ、また、包装紙で包んでも包装紙が破れてしまうおそれがなく、包装紙で包むのに適しており、また、紙製容器の底面側から水平板部を押し込むのみで解体できるので、解体を容易とすることができる。特に、解体に際して、水平板部の切欠部に指を係止して押し込めばよいので、操作がしやすく、この切欠部が解体に際しての目印にもなる。
【００２２】
また、第３には、上記第１又は第２の構成において、底面部の開口部が略円弧形状であることを特徴とする。
【００２３】
また、第４には、底面部の開口部が、同心円をなし径の異なる円弧形状の辺部を有する開口部を形成し、さらに、該開口部の内径側の辺部の略中央部分を左右方向の直線状の辺部により切り欠いた形状であることを特徴とする。よって、開口部が、左右方向の直線状の辺部により切り欠いた形状であるので、紙製容器の組立てに際して、係止片の先端が、水平板部の先端位置を超えて水平板部の底面と接触しなくなるのを容易にできるので、組立てが容易となる。また、解体に際しても、水平板部の先端が、係止片の先端位置を超えて係止片の底面と接触しなくなるのを容易にできるので、解体が容易となる。
【００２４】
また、第５には、上記第１から第４までのいずれかの構成において、水平板部の切欠部が、水平板部の先端側の辺部に帯状の第１切欠部を形成し、さらに、帯状の切欠部の略中央をさらに円弧状の切り欠いて第１切欠部の奥側に第２切欠部を形成した形状であることを特徴とする。よって、水平板部の切欠部が第１切欠部を有しているので、係止片が水平板部に係止する際に第１切欠部に嵌合して係止片が水平板部に対して左右方向にずれることがない。
【００２５】
また、第６には、上記第５の構成において、水平板部の第２切欠部の大きさが、係止片の大きさよりも小さく形成されていることを特徴とする。よって、第２切欠部が係止片により被覆され、組立て状態の紙製容器を底面側から視認した場合に、水平板部の第２切欠部の位置から中が見えることがなく、見栄えがよい。
【００２６】
また、第７には、上記第１から第６までのいずれかの構成において、右側面部の底面部とは反対側の辺部から折れ線を介して上フラップ部が連設され、左側面部の底面部とは反対側の辺部から折れ線を介して上フラップ部が連設されていることを特徴とする。
【００２７】
また、第８には、上記第１から第７までのいずれかの構成において、右側面部の背面側の辺部から折れ線を介して連設された第３横フラップ部と、左側面部の背面側の辺部から折れ線を介して連設された第４横フラップ部とを有することを特徴とする。
【００２８】
また、第９には、１枚のシート状のブランクにより形成された紙製容器であって、略方形状の底面部で、正面側に膨出し左右対称の略帯状の略円弧形状で同心円をなし径の異なる円弧形状の辺部を有する開口部を形成し、さらに、該開口部の内径側の辺部の略中央部分を左右方向の直線状の辺部により切り欠いた形状である開口部と、開口部における左右方向の両側の端部領域間に設けられ左右方向に形成された折れ線と開口部の内側の辺部とより囲まれた係止片で、紙製容器の組立て状態において水平板部と係止する係止片とを有する底面部と、底面部の右側面側の辺部から折れ線を介して連設された略方形状の右側面部と、底面部の左側面側の辺部から折れ線を介して連設された略方形状の左側面部と、右側面部の正面側の辺部から折れ線を介して連設され、紙製容器の組立て状態において、正面部の外側部と内側部に挟まれて設けられる第１横フラップ部と、左側面部の正面側の辺部から折れ線を介して連設され、紙製容器の組立て状態において、正面部の外側部と内側部に挟まれて設けられる第２横フラップ部と、右側面部の背面側の辺部から折れ線を介して連設された第３横フラップ部と、左側面部の背面側の辺部から折れ線を介して連設された第４横フラップ部と、右側面部の底面部とは反対側の辺部から折れ線を介して連設された第１上フラップ部と、左側面部の底面部とは反対側の辺部から折れ線を介して連設された第２上フラップ部と、底面部の正面側の辺部から折れ線を介して連設された正面部で、底面部から折れ線を介して連設された外側部と、外側部の底面部とは反対側の辺部から折れ線を介して連設された帯状の上面部と、上面部の外側部とは反対側の辺部から折れ線を介して連設され紙製容器の組立て状態において外側部の内側に外側部と略平行に設けられる内側部と、内側部の上面部とは反対側の辺部から折れ線を介して連設され、紙製容器の組立て状態において係止片と係止する領域を除き底面部の上面に接する水平板部で、内側部側とは反対側の先端領域に、水平板部の先端側の辺部に帯状の第１切欠部を形成し、さらに、帯状の切欠部の略中央をさらに円弧状の切り欠いて第２切欠部を形成した形状の切欠部を有し、係止片が水平板部に係止した状態において第２切欠部が係止片の下方に位置し、第２切欠部の大きさが係止片の大きさよりも小さい水平板部と、を有する正面部と、底面部の背面側の辺部から折れ線を介して連設された背面部と、背面部の底面部とは反対側の辺部から折れ線を介して連設された蓋部と、蓋部の背面部とは反対側の辺部から折れ線を介して連設された先端板部と、を有することを特徴とする。
【００２９】
第９の構成の紙製容器においては、展開状態の紙製容器を箱状に組み立てるには、右側面部と左側面部を底面部に対して折り曲げて立設させ、第１横フラップ部と第２横フラップ部を右側面部と左側面部に対して内側に折り曲げる。その後、外側部を底面部に対して折り曲げて立設させ、上面部を外側部に対して折り曲げ、さらに、内側部を上面部に対して折り曲げて外側部と内側部により第１横フラップ部と第２横フラップ部を挟んで挟設した状態とする。その後、水平板部を内側部に対して略直角に折り曲げて、底面部の上面と略平行に接するようにする。正面部、特に、外側部と内側部が底面部に対して立設した状態で、底面部における係止片を底面部の底面側から指で押し込むことにより、係止片は、水平板部の上面に乗り上げた状態で係止する。なお、係止片を指で押し込む際に、水平板部に切欠部が形成されているので、係止片と水平板部との間で指を挟んでしまうことがない。次に、被収納物を収納した後に、第１上フラップ部と第２上フラップ部とを内側に折り曲げるとともに、第３横フラップ部と第４横フラップ部とを内側に折り曲げた状態で、背面部を底面部に対して立設させるとともに、蓋部を背面部に対して折り曲げ、その後、先端板部を正面部の内側部の内側に差し込んで閉状態とする。
【００３０】
また、紙製容器を廃棄等のために解体する場合には、紙製容器の底面側（つまり、底面部の底面側）から水平板部を押し込む。その際、水平板部の切欠部に指を係止して押し込むことにより、係止片の水平板部との係止状態が解除される。よって、正面部を平板状にして紙製容器を解体することができる。
【００３１】
よって、被収納物を収納した紙製容器を包装紙により包む場合に、底面部から外面に突出した部分がないので、包装紙により容易に包むことができ、また、包装紙で包んでも包装紙が破れてしまうおそれがなく、包装紙で包むのに適しており、また、紙製容器の底面側から水平板部を押し込むのみで解体できるので、解体を容易とすることができる。特に、解体に際して、水平板部の切欠部に指を係止して押し込めばよいので、操作がしやすく、この切欠部が解体に際しての目印にもなる。
【００３２】
また、底面部の開口部が、左右方向の直線状の辺部により切り欠いた形状であるので、紙製容器の組立てに際して、係止片の先端が、水平板部の先端位置を超えて水平板部の底面と接触しなくなるのを容易にできるので、組立てが容易となる。また、解体に際しても、水平板部の先端が、係止片の先端位置を超えて係止片の底面と接触しなくなるのを容易にできるので、解体が容易となる。
【００３３】
また、水平板部の切欠部が第１切欠部を有しているので、係止片が水平板部に係止する際に第１切欠部に嵌合して係止片が水平板部に対して左右方向にずれることがない。
【００３４】
また、水平板部の第２切欠部の大きさが、係止片の大きさよりも小さく形成されているので、第２切欠部が係止片により被覆され、組立て状態の紙製容器を底面側から視認した場合に、水平板部の第２切欠部の位置から中が見えることがなく、見栄えがよい。
【考案の効果】
【００３５】
本考案に基づく紙製容器によれば、被収納物を収納した紙製容器を包装紙により包む場合に、底面部から外面に突出した部分がないので、包装紙により容易に包むことができ、また、包装紙で包んでも包装紙が破れてしまうおそれがなく、包装紙で包むのに適しており、また、紙製容器の底面側から水平板部を押し込むのみで解体できるので、解体を容易とすることができる。特に、解体に際して、水平板部の切欠部に指を係止して押し込めばよいので、操作がしやすく、この切欠部が解体に際しての目印にもなる。
【図面の簡単な説明】
【００３６】
【図１】紙製容器の組立て状態における斜視図である。
【図２】紙製容器の組立て状態における底面側から見た斜視図である。
【図３】紙製容器の展開図である。
【図４】図３の要部拡大図である。
【図５】紙製容器の組立て状態における蓋部を開けた状態の紙製容器の斜視図である。
【図６】紙製容器の組立て状態における底面側の要部拡大斜視図である。
【図７】紙製容器の組立て前における蓋部を開けた状態の紙製容器の斜視図である。
【図８】紙製容器の組立て前における底面側の要部拡大斜視図である。
【図９】係止片を係止する前の状態から係止した後の状態に移行する様子を示す説明図である。
【図１０】従来におけるＮ式容器の展開状態を示す斜視図である。
【考案を実施するための形態】
【００３７】
本考案においては、方形状の底面部の各辺から連設され、組立て状態では底面部から立設する各側面において、蓋部が連設された側とは反対側の正面が二重壁であり、正面部に隣接する両側の側面が１つの壁のみで構成された紙製容器において、包装紙で包むのに適するとともに、該二重壁の正面部の解体が容易な紙製容器を提供するという目的を以下のようにして実現した。
【００３８】
本考案に基づく紙製容器５は、図１〜図６に示すように構成され、１枚のシート状のブランク（シート状部材（具体的には、シート状の紙材）により形成されたブランク）（図３参照）の要所を折り曲げ、組み立てることにより形成されるものであり、底面部１０と、側面部２０、３０と、上フラップ部２２、３２と、横フラップ部２４、２６、３４、３６と、正面部４０と、背面部５０と、蓋部５２と、先端板部５４とを有している。
【００３９】
ここで、底面部１０は、方形状（具体的には、長方形状）の板状を呈しているが、厳密には、方形状に開口部１２を形成することにより略方形状を呈している。底面部１０は、少なくとも方形状の外形を有している。この底面部１０の正面部４０側の領域には、略円弧形状（円弧形状としてもよい）、すなわち、正面部４０側に膨出した（湾曲した）略円弧形状（円弧形状としてもよい）の略帯状の開口部１２が形成されている。開口部１２は、左右対称（略左右対称としてもよい）に形成されている。
【００４０】
この開口部１２の形状は、同心円をなし径の異なる円弧形状の辺部を有する開口部を形成し、さらに、該開口部の内径側の辺部の略中央部分を左右方向の直線状の辺部（辺部１４ｄ）により切り欠いた形状となっていて、円弧形状で略同一幅の第１領域１２ａと第１領域部１２ａの内径側の辺部における略中央部分（左右方向の略中央部分）と該中央部分の背面側の左右方向（底面部１０と外側部４２間の折れ線１９と平行な方向）の辺部とで囲まれた第２領域１２ｂとから構成されている。また、開口部１２は、円弧形状の辺部１４ａと、該辺部１４ａの左側面側の端部から連設され略半円状の辺部１４ｂと、略半円状の辺部１４ｂの辺部１４ａとは反対側の端部から連設され辺部１４ａと同心円で辺部１４ａの円弧よりも径の小さい円弧形状をなす辺部１４ｃと、辺部１４ｃの辺部１４ｂとは反対側の端部から連設され左右方向に直線状の辺部１４ｄと、該辺部１４ｄの辺部１４ｃとは反対側の端部から連設され辺部１４ｃと同径の円弧形状をなす辺部１４ｅと、辺部１４ｅの辺部１４ｄとは反対側の端部と辺部１４ａの辺部１４ｂとは反対側の端部間に設けられ略半円状の辺部１４ｆからにより構成されているといえる。この開口部１２は、略三日月状を呈しているともいえる。
【００４１】
また、開口部１２の内側には、係止片１６が形成されている。つまり、係止片１６は、底面部１０における開口部１２と係止片１６を除く部分である底面部本体１１から開口部１２の両側の端部領域間に設けられた折れ線１５（折れ線１５は、左右方向に設けられ、折れ線１９に略平行となっている）を介して開口部１２側に連設され、係止片１６は、折れ線１５と開口部１２の内側の辺部とで囲まれた領域となっている。この係止片１６は、紙製容器５の組立て状態においては、図２、図５、図６に示すように、水平板部４８の上面に乗り上げて係止した状態となっている。なお、折れ線１５は、開口部１２の両側の端部領域を結ぶものであり、開口部１２の内側の辺の二点を結ぶ構成ともいえる。該二点のうち、一点は、辺部１４ｃ上にあり、他の一点は辺部１４ｅ上にある。開口部１２の内側の辺の二点を結ぶ構成の場合には、開口部１２の両側の端部を結ぶものでなくてもよい。
【００４２】
なお、この開口部１２の形状としては、略円弧状であるとしたが、正面側に膨出し左右対称の略帯状の形状であれば、略楕円弧形状（楕円弧形状としてもよい）や山型形状（へ字型）（三角形状の二辺の形状（折れ線１９に対して傾斜した２つの直線状の開口部が所定の角度（例えば、鈍角）をなして正面部４０側で接した形状）や略コ字状としてもよい。
【００４３】
また、側面部（右側面部）２０は、底面部１０の右側面側の辺部から折れ線を介して連設され、方形状（具体的には、長方形状）の板状を呈し、その前後方向の長さは底面部１０の前後方向の長さと略同一となっている。側面部２０は、略方形状としてもよい。
【００４４】
また、上フラップ部（第１上フラップ部）２２は、側面部２０の底面部１０側とは反対側の辺部から折れ線を介して連設され、細長長方形状の角部にアールを形成した形状を呈し、その前後方向の長さは側面部２０の前後方向の長さと略同一となっている。また、横フラップ部（第１横フラップ部）２４は、側面部２０の正面側の辺部から折れ線を介して連設され、略長方形状を呈し、具体的には、長方形状の先端の下側（紙製容器５の組立て状態における下側）に略台形形状の切欠きを形成した形状（方形状の先端に台形形状を組み合わせた形状としてもよい）を呈している。また、横フラップ部（第３横フラップ部）２６は、側面部２０の背面側の辺部から折れ線を介して連設され、略長方形状を呈し、具体的には、長方形状の先端の下側（紙製容器５の組立て状態における下側）に略三角形状の切欠きを形成した形状（方形状の先端に台形形状を組み合わせた形状としてもよい）を呈している。
【００４５】
また、側面部（左側面部）３０は、底面部１０の左側面側の辺部から折れ線を介して連設され、方形状（具体的には、長方形状）の板状を呈し、その前後方向の長さは底面部１０の前後方向の長さと略同一となっている。この側面部３０は、側面部２０と対称に形成されている。側面部３０は、略方形状としてもよい。
【００４６】
また、上フラップ部（第２上フラップ部）３２は、側面部３０の底面部１０側とは反対側の辺部から折れ線を介して連設され、細長長方形状の角部にアールを形成した形状を呈し、その前後方向の長さは側面部３０の前後方向の長さと略同一となっている。また、横フラップ部（第２横フラップ部）３４は、側面部３０の正面側の辺部から折れ線を介して連設され、略長方形状を呈し、具体的には、長方形状の先端の下側（紙製容器５の組立て状態における下側）に略台形形状の切欠きを形成した形状（方形状の先端に台形形状を組み合わせた形状としてもよい）を呈している。また、横フラップ部（第４横フラップ部）３６は、側面部３０の背面側の辺部から折れ線を介して連設され、略長方形状を呈し、具体的には、長方形状の先端の下側（紙製容器５の組立て状態における下側）に略三角形状の切欠きを形成した形状（方形状の先端に台形形状を組み合わせた形状としてもよい）を呈している。上フラップ部３２は、上フラップ部２２と対称に形成され、横フラップ部３４は、横フラップ部２４と対称に形成され、横フラップ部３６は、横フラップ部２６と対称に形成されている。
【００４７】
横フラップ部２４、３４の幅（紙製容器５の組立て状態における上下方向の幅（最大幅））は、内側部４６の幅（上面部４４側の辺部と水平板部４８側の辺部間の幅）や外側部４２の幅（上面部４４側の辺部と底面部１０側の辺部間の幅）以下の長さに形成されている。
【００４８】
また、正面部４０は、底面部１０の正面側の辺部から折れ線を介して連設され、外側部４２と上面部４４と内側部４６とを有している。
【００４９】
外側部４２は、底面部１０の正面側の辺部から折れ線を介して連設され、方形状（具体的には、長方形状）を呈している。
【００５０】
また、上面部４４は、外側部４２の底面部１０側とは反対側の辺部から折れ線を介して連設され、帯状を呈している。
【００５１】
また、内側部４６は、上面部４４の外側部４２側とは反対側の辺部から折れ線を介して連設され、方形状（具体的には、長方形状）を呈している。
【００５２】
また、内側部４６の幅（上面部４４側の辺部と水平板部４８側の辺部間の幅）は、外側部４２の幅（上面部４４側の辺部と底面部１０側の辺部間の幅）と略同一に形成されている。
【００５３】
また、水平板部４８は、内側部４６の上面部４４側とは反対側の辺部から折れ線を介して連設され、略長方形状の内側部４６とは反対側の領域の略中央に切欠部４９を形成した形状となっている。つまり、水平板部４８の内側部４６とは反対側には、内側部４６との間の折れ線と平行な辺部が設けられ、この辺部に切欠部４９が形成されている。また、水平板部４８の先端の両側には、アールが形成されている。
【００５４】
この切欠部４９は、帯状（略細長長方形状）に形成された第１部分４９ａと第１部分４９ａの略中央奥側に形成された第２部分４９ｂとから構成され、第２部分４９ｂは、略円弧状の辺部を有している。また、第１部分４９ａの両側には、水平板部４８の先端側にいくほど左右方向の幅が広くなるテーパ状に形成されている。つまり、切欠部４９は、水平板部４８の先端側の辺部に帯状の第１切欠部（第１部分４９ａに相当する切欠部）を形成し、さらに、帯状の切欠部の略中央をさらに円弧状の切り欠いて第２切欠部（第２部分に相当する切欠部）を形成した形状を呈している。なお、この第２切欠部の大きさは、第２切欠部が係止片１６により被覆されるように、係止片１６よりも小さく形成され、第２切欠部の紙製容器５の組立て状態における前後方向の長さ（最大長さ）は、係止片１６の前後方向の長さ（最大長さ）よりも小さく形成され、第２切欠部の左右方向の長さ（最大長さ）は、係止片１６の左右方向の長さ（最大長さ）よりも小さく形成されている。よって、組立て状態の紙製容器５を底面側から視認した場合に、水平板部４８の第２切欠部の位置から中が見えることがなく、見栄えがよい。なお、この水平板部４８は、紙製容器５の組立て状態において、係止片１６と係止する領域を除き底面部１０の上面に接して設けられる。また、係止片１６が水平板部４８に係止した状態においては、切欠部４９の少なくとも一部の領域（少なくとも第２切欠部の領域）が係止片１６の下方に位置する。
【００５５】
なお、正面部４０において、外側部４２、上面部４４及び内側部４６の左右方向の長さと水平板部４８の左右方向の最大長さは、底面部１０の左右方向の長さと略同一である。
【００５６】
また、背面部５２は、長方形状（略長方形状としてもよい）を呈し、その底面部１０側の辺部と蓋部６０側の辺部間の幅は、内側部４６の幅（上面部４４側の辺部と水平板部４８側の辺部間の幅）や、外側部４２の幅（上面部４４側の辺部と底面部１０側の辺部間の幅）と略同一に形成されている。
【００５７】
また、蓋部５２は、背面部５０の底面部１０側とは反対側の辺部から折れ線を介して連設され、長方形状（略長方形状としてもよい）を呈し、その大きさは、底面部１０と略同一となっている。つまり、蓋部６０の左右方向の長さ及び前後方向の長さは、底面部１０の左右方向の長さ及び前後方向の長さと略同一となっている。
【００５８】
また、先端板部５４は、蓋部５２の背面部５０側とは反対側の辺部から折れ線を介して連設され、略長方形状を呈している。すなわち、先端板部５４は、長方形状の先端側の両側の角部にアールが形成されている。
【００５９】
なお、側面部２０と側面部３０と外側部４２と内側部４６と背面部５０の短手辺の幅、すなわち、紙製容器５の組立て状態における高さ方向の長さは、略同一に形成されている。
【００６０】
以上のように、紙製容器５においては、蓋部５２が連設された側とは反対側の正面が外側部４２と内側部４６により二重壁となっていて、正面部４０に隣接する両側の側面が側面部２０、３０により１つの壁のみで構成されている。
【００６１】
なお、紙製容器５の組立て状態とは、図１、図２のように蓋部５２を閉じた状態のみならず、図５のように蓋部５２を開けた状態も含むものとし、係止片１６を水平板部４８に係止させて紙製容器５の正面側を組み立てた状態であればよい。
【００６２】
また、上記構成の紙製容器５を構成するブランクは紙材であり、具体的には、両面段ボール材により構成されている。つまり、紙製容器５は、１枚の両面段ボール材（シート状部材）により形成されたブランク（図３参照）の要所を折り曲げ、組み立てることにより形成されるものである。特に、折り畳みを容易とし、折り畳んだ状態をなるべく薄くするための薄型の両面段ボール材を用いるのが好ましい。例えば、中芯の段の高さが約０．５ｍｍ（０．４８〜０．５２ｍｍ）で、３０ｃｍ当たりの段数が約１７７段（１７４〜１８０段）の両面段ボールを用いるのが好ましい。
【００６３】
また、紙製容器５において、各折れ線には予め罫線を形成しておくことが好ましい。つまり、折れ線に沿って罫線を形成しておくことにより、折曲げを容易とすることができる。
【００６４】
次に、紙製容器５の使用状態について説明する。展開状態の紙製容器５を箱状に組み立てるには、側面部２０、３０を底面部１０に対して折り曲げて立設させ、横フラップ部２４、３４を側面部２０、３０に対して内側に折り曲げる。その後、外側部４２を底面部１０に対して折り曲げて立設させ、上面部４４を外側部４２に対して折り曲げ、さらに、内側部４６を上面部４４に対して折り曲げて外側部４２と内側部４６により横フラップ部２４、３４を挟んで挟設した状態とする。その後、水平板部４８を内側部４６に対して略直角に折り曲げて、底面部１０の上面と略平行に接するようにし、図７、図８、図９（ａ）に示す状態とする。この状態では、正面部４０、特に、外側部４２と内側部４６は、底面部１０に対して立設している。
【００６５】
次に、正面部４０、特に、外側部４２と内側部４６が底面部１０に対して立設した状態で、底面部１０における係止片１６を底面部１０の底面側から指で押し込むことにより、係止片１６の先端が水平板部４８の底面を押し、さらに係止片１６を押し込むことにより、係止片１６の先端が、水平板部４８の先端位置を超えて、水平板部４８の底面と接触しなくなり、すると、係止片１６に押されていた水平板部４８が復帰する。これにより、図２、図５、図６、図９（ｂ）に示すように、係止片１６は、水平板部４８の上面に乗り上げた状態で係止し、紙製容器５の底面側からは水平板部４８の一部が視認できる状態となる。これにより、正面部４０の立設状態が固定され、紙製容器５が組立て状態となる。なお、係止片１６を指で押し込む際に、水平板部４８に切欠部４９が形成されているので、係止片１６と水平板部４８との間で指を挟んでしまうことがない。なお、水平板部４８の切欠部４９が第１切欠部（第１部分４９ａに相当する切欠部）を有しているので、係止片１６が水平板部４８に係止する際に第１切欠部に嵌合して係止片１６が水平板部４８に対して左右方向にずれることがない。
【００６６】
次に、被収納物を収納した後に、上フラップ部２２、３２と、横フラップ２６、３６を側面部２０、３０に対して内側に折り曲げた状態で背面部５０を底面部１０に対して立設させるとともに、蓋部５２を背面部５０に対して折り曲げ、その後、先端板部５４を正面部４０の内側部４６の内側に差し込んで紙製容器５を閉状態とする。
【００６７】
その後、被収納物を収納した紙製容器５を包装紙により包む場合には、包装紙により包装する。その際、底面部１０等の紙製容器５の外面からは突出した部分がないので、包装紙により容易に包むことができ、また、包装紙で包んでも包装紙が破れてしまうおそれがない。
【００６８】
なお、被収納物が柔らかいものである場合や収納空間が形成される場合（特に、係止片１６の内側に空間が形成される場合）には、係止片１６の水平板部４８への係止が外れるおそれもあるが、先端板部５４が内側部４６の内側に差し込まれて蓋部５２が閉じている場合には、箱の形状が維持される。
【００６９】
また、紙製容器５を廃棄等のために解体する場合には、紙製容器５の底面側（つまり、底面部１０の底面側）から水平板部４８を押し込む。その際、水平板部４８の切欠部４９に指を係止して押し込む。すると、水平板部４８の先端が係止片１６を押し、さらに水平板部４８を押し込むことにより、水平板部４８の先端が、係止片１６の先端位置を超えて、係止片１６の底面と接触しなくなり、係止片１６の水平板部４８との係止状態が解除される。よって、正面部４０を平板状にして底面部１０と同一の平板状にすることができ、他の部分も底面部１０と同一の平板状として１枚の平板状に解体することが可能となる。
【００７０】
なお、解体に際して、水平板部４８の切欠部４９に指を係止して押し込めばよいので、操作がしやすく、この切欠部４９が解体に際しての目印にもなる。
【００７１】
また、開口部１２の形状は、同心円をなし径の異なる円弧形状の辺部を有する開口部を形成し、さらに、該開口部の内径側の辺部の略中央部分を左右方向の直線状の辺部（辺部１４ｄ）により切り欠いた形状となっていて、特に、該直線状の辺部により切り欠いた形状となっているので、紙製容器の組立てに際して、係止片１６の先端が、水平板部４８の先端位置を超えて水平板部４８の底面と接触しなくなるのを容易にできるので、組立てが容易となる。また、解体に際しても、水平板部４８の先端が、係止片１６の先端位置を超えて係止片１６の底面と接触しなくなるのを容易にできるので、解体が容易となる。
【００７２】
以上のように、方形状の底面部の各辺から連設され、組立て状態では底面部から立設する各側面において、蓋部が連設された側とは反対側の正面が二重壁であり、正面部に隣接する両側の側面が１つの壁のみで構成された紙製容器において、包装紙で包むのに適するとともに、該二重壁の正面部の解体が容易な紙製容器を提供することができる。
【００７３】
なお、上記の構成において、正面部４０において、上面部４４の構成を省略して、外側部４２の底面部１０とは反対側の辺部から内側部４６が連設された構成としてもよい。
【符号の説明】
【００７４】
５  紙製容器
１０  底面部
１２  開口部
１５、１９  折れ線
１６  係止片
２０、３０  側面部
２２、３２  上フラップ部
２４、２６、３４、３６  横フラップ部
４０  正面部
４２  外側部
４４  上面部
４６  内側部
４８  水平板部
４９  切欠部
５０  背面部
５２  蓋部
５４  先端板部
【図１】
0003164781.tif 000003
【図２】
0003164781.tif 000004
【図３】
0003164781.tif 000005
【図４】
0003164781.tif 000006
【図５】
0003164781.tif 000007
【図６】
0003164781.tif 000008
【図７】
0003164781.tif 000009
【図８】
0003164781.tif 000010
【図９】
0003164781.tif 000011
【図１０】
0003164781.tif 000012